(57)【要約】【課題】  光源装置を提供すること。【解決手段】  光源装置は、光源モジュール、輝度決定部、照度センシング部、及び光源駆動部を含む。光源モジュールは、表示パネルに光を供給する。輝度決定部は、少なくとも白色の画像データを含む画像データの輝度データを出力する。照度センシング部は、外部の照度に基づいてセンシングデータを出力する。光源駆動部は、輝度データとセンシングデータに基づいて光源モジュールを駆動する。このように、赤色、緑色、青色の画像データを少なくとも白色の画像データを含む画像データに変換して表示パネルを表示し、表示パネルに光を供給する光源モジュールの駆動信号を制御することにより、表示装置の輝度を上昇させることができ、消費電力を減らすことができる。【選択図】図１
2010170130.tif 000002
【特許請求の範囲】
【請求項１】
表示パネルに光を供給する光源モジュールと、
赤色、緑色、青色の原始画像データより変換された少なくとも白色の画像データを含む第１画像データの輝度データを獲得する輝度決定部と、
外部の照度に基づいてセンシングデータを獲得する照度センシング部と、
前記輝度データと前記センシングデータに基づいて前記光源モジュールを駆動する光源駆動部と、を含むことを特徴とする光源装置。
【請求項２】
前記光源駆動部は、
前記輝度データと前記センシングデータを乗算して駆動データを獲得する演算部と、
前記駆動データを基にパルス幅を有する駆動信号を生成して前記光源モジュールに供給するパルス幅生成部を含むことを特徴とする請求項１に記載の光源装置。
【請求項３】
前記演算部は、
前記輝度データの振幅を前記センシングデータの振幅と同一にするために前記駆動データの最下位ビットを除去することを特徴とする請求項２に記載の光源装置。
【請求項４】
前記光源駆動部は、
外部の入力信号に従って前記駆動データを優先的に決定する使用者調節部をさらに含むことを特徴とする請求項２に記載の光源装置。
【請求項５】
前記光源駆動部は、
前記外部の入力信号が最小レベルの前記駆動データ以下に対応するとき、前記最小レベルの駆動データを維持する最小レベル保障部をさらに含むことを特徴とする請求項４に記載の光源装置。
【請求項６】
前記光源駆動部は、
外部の入力信号に従って前記駆動データを優先的に決定する使用者調節部をさらに含むことを特徴とする請求項３に記載の光源装置。
【請求項７】
前記光源駆動部は、
前記外部の入力信号が最小レベルの前記駆動データ以下に対応するとき、前記最小レベルの駆動データを維持する最小レベル保障部をさらに含むことを特徴とする請求項６に記載の光源装置。
【請求項８】
前記照度センシング部は、
外部の照度を測定して照度信号を獲得するセンサー部と、
前記照度信号を照度データにデジタル変換するアナログ−デジタルコンバータと、
前記照度データの代表値を選択する選択部と、
前記照度データの代表値に対応するセンシングデータを前記光源駆動部に出力するマッピング部と、を含むことを特徴とする請求項１に記載の光源装置。
【請求項９】
前記照度センシング部は、
前記照度データのノイズ成分を除去して前記ノイズ成分が除去された照度データを前記選択部に供給するフィルタリング部をさらに含むことを特徴とする請求項８に記載の光源装置。
【発明の詳細な説明】
【技術分野】
【０００１】
本発明は、光源装置に関する。より詳しくは、電力効率を向上させるための光源装置に関する。
【背景技術】
【０００２】
一般的に、液晶表示装置は薄く、軽量であり、低消費電力という長所があって、モニター、ノートパソコン、携帯電話のみならず、大型テレビ等にも使用される。液晶表示装置は、液晶の光透過率を利用して画像を表示する液晶表示パネル及び液晶表示パネルの下部に配置されて液晶表示パネルに光を供給するバックライトアセンブリを含む。
【０００３】
液晶表示パネルは、マトリックス形態で配置された複数の薄膜トランジスタ（Ｔｈｉｎ  Ｆｉｌｍ  Ｔｒａｎｓｉｓｔｏｒ）を有するアレイ基板、アレイ基板と対向するカラーフィルタ基板、及びアレイ基板とカラーフィルタ基板との間に介在された液晶層を含む。
【０００４】
バックライトアセンブリは光源として複数の冷陰極蛍光ランプ（Ｃｏｌｄ  Ｃａｔｈｏｄｅ  Ｆｌｕｏｒｅｓｃｅｎｔ  Ｌａｍｐｓ）を採用することができるが、最近は、低消費電力且つ高い色再現性を有する複数の発光ダイオード（Ｌｉｇｈｔ  Ｅｍｉｔｔｉｎｇ  Ｄｉｏｄｅｓ：ＬＥＤ）を採用することがある。
【０００５】
最近では、受信された赤色、緑色、及び青色画像データを、赤色、緑色、青色、及び白色画像データに変換して画像を表示して、消費電力を減らす液晶表示装置が開発されている。
【先行技術文献】
【特許文献】
【０００６】
【特許文献１】韓国特許出願公開  ２００８-０００２１８５号明細書
【特許文献２】韓国特許出願公開  ２００８-００３９７１８号明細書
【特許文献３】韓国特許出願公開  ２００８-００６５１６０号明細書
【発明の概要】
【発明が解決しようとする課題】
【０００７】
そこで、本発明が解決しようとする技術的課題はこのような点に鑑みてなされたものであって、本発明の目的は、電力効率を向上させるための光源装置を提供することにある。
【課題を解決するための手段】
【０００８】
上記本発明の目的を達成するための一実施形態による光源装置は、光源モジュール、輝度決定部、照度センシング部、及び光源駆動部を含む。光源モジュールは表示パネルに光を供給する。輝度決定部は、少なくとも白色の画像データを含む画像データの輝度データを出力する。照度センシング部は、外部の照度に基づいてセンシングデータを出力する。光源駆動部は、輝度データとセンシングデータに基づいて光源モジュールを駆動する。
【発明の効果】
【０００９】
本発明によると、赤色、緑色、青色の原始画像データを少なくとも白色の画像データを含む第１画像データに変換して表示パネルを表示し、表示パネルに光を供給する光源モジュールの駆動信号を制御するため、表示装置の輝度を上昇させることができ、消費電力を減らすことができる。
【図面の簡単な説明】
【００１０】
【図１】本発明の一実施形態による表示装置のブロック図である。
【図２】図１に示す照度センシング部についての詳細なブロック図である。
【図３】図２に示すルックアップテーブルの一例を示す図面である。
【図４】図１に示す光源駆動部についての詳細なブロック図である。
【図５】本発明の一実施例による光源駆動方法を説明するフローチャートである。
【発明を実施するための最良の形態】
【００１１】
以下、図面を参照しながら、本発明の表示装置の望ましい実施形態をより詳しく説明する。本発明は多様な変更を加えることができ、様々な形態を有することができるため、特定実施形態を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。各図面を説明しながら類似する参照符号を、類似する構成要素に対して使用した。添付図面において、構造物のサイズは本発明の明確性に基づくために実際より拡大して示した。第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１２】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００１３】
図１は、本発明の一実施形態による表示装置のブロック図である。
【００１４】
図１を参照すると、表示装置は、表示パネル１００、パネル駆動部１７０、及び光源装置２００を含む。
【００１５】
表示パネル１００は、複数のデータ配線ＤＬと、データ配線ＤＬと交差する複数のゲート配線ＧＬ及びデータ配線、並びにゲート配線に電気的に接続された複数の画素を含む。画素は、少なくとも白色の画素を含む。つまり、画素のそれぞれは、赤色、緑色、青色、及び白色の画素（ＰＲ、ＰＧ、ＰＢ、ＰＷ）からなる単位画素を含んでもよい。赤色、緑色、青色、及び白色画素のそれぞれは、ゲート配線ＧＬ及びデータ配線ＤＬに接続されたスイッチング素子（図示せず）、スイッチング素子に接続された液晶キャパシタ（図示せず）及びストレージキャパシタ（図示せず）を含む。
【００１６】
パネル駆動部１７０は、タイミング制御部１１０、データ変換部１２０、データ駆動部１４０、及びゲート駆動部１５０を含む。
【００１７】
タイミング制御部１１０は、外部より制御信号ＣＳを受信する。制御信号ＣＳは、垂直同期信号Ｖｓｙｎｃ、水平同期信号Ｈｓｙｎｃ、及びデータイネーブル信号ＤＥを含んでもよい。垂直同期信号Ｖｓｙｎｃは、１フレームが表示されることにかかる時間を示す。垂平同期信号Ｈｓｙｎｃは、１ラインが表示されることにかかる時間を示す。従って、垂平同期信号Ｈｓｙｎｃは１ラインに含まれる画素の数に対応するパルスを含んでもよい。データイネーブル信号ＤＥは、画素にデータが供給されることにかかる時間を示す。
【００１８】
タイミング制御部１１０は、受信された制御信号ＣＳを利用して表示パネル１００の駆動タイミングを制御するタイミング制御信号ＴＳを生成する。タイミング制御信号ＴＳは、クロック信号、水平開始信号、及び垂直開始信号を含んでもよい。垂直開始信号は、ゲート駆動部１５０に供給されてパネル駆動部１７０に具備される複数のゲートラインを順次にアクティブにする（ａｃｔｉｖａｔｅ）。
【００１９】
データ変換部１２０は、外部装置（図示せず）より受信された赤色、緑色、青色の原始画像データを、表示パネル１００の赤色、緑色、青色、及び白色の画素（ＰＲ、ＰＧ、ＰＢ、ＰＷ）に対応させて変換する。つまり、データ変換部１２０は、外部より受信された原始画像データを、少なくとも白色の画像データを含む第１画像データに変換する。例えば、データ変換部１２０は、赤色、緑色、青色、及び白色の画像データを含む第１画像データに変換してもよい。データ変換部１２０は、第１画像データをデータ駆動部１４０及び光源装置２００に供給する。
【００２０】
データ駆動部１４０は、タイミング制御部１１０より供給されたデータ制御信号及びデータ変換部１２０より供給された第１画像データを利用してデータ配線ＤＬにデータ電圧を供給する。つまり、データ駆動部１４０は、第１画像データをアナログ形態のデータ電圧に変換してデータ配線ＤＬに出力する。
【００２１】
ゲート駆動部１５０は、タイミング制御部１１０より供給されたゲート制御信号を利用してゲート配線ＧＬを駆動させる。例えば、ゲート駆動部１５０は、ゲート配線ＧＬにゲート信号を順次に供給してゲート配線ＧＬをアクティブにする。
【００２２】
光源装置２００は、光源モジュール２１０及び光源モジュール駆動部２７０を含む。
【００２３】
光源モジュール２１０は、少なくとも１つ以上の光源を含む。光源モジュール２１０は、光源を実装する印刷回路基板をさらに含んでもよい。光源モジュール２１０は、赤色、緑色、及び青色光源を含んでもよい。光源モジュール２１０は、Ｉ×Ｊ（Ｉ、Ｊは自然数）個の発光ブロックＢに分けてもよい。発光ブロックＢは、ローカルディミング方式（ａ  ｌｏｃａｌ  ｄｉｍｍｉｎｇ  ｍｅｔｈｏｄ）に従って、表示パネル１００に表示される画像に対応して個々に駆動されてもよい。各発光ブロックＢは白色光源を含んでもよい。また、発光ブロックＢは、赤色、緑色、及び青色の光源を含んでもよい。光源は、発光ダイオードＬＥＤを含んでもよい。
【００２４】
光源モジュール駆動部２７０は、輝度決定部２２０、照度センシング部２３０、及び光源駆動部２５０を含む。
【００２５】
輝度決定部２２０は、データ変換部１２０から供給される第１画像データから輝度データＬＤを獲得する。輝度データＬＤは、画像のフレーム（ｆｒａｍｅ）毎に出力されてもよい。輝度決定部２２０は、輝度データＬＤを光源駆動部２５０に供給する。
【００２６】
照度センシング部２３０は、表示パネル１００に隣接するセンサー部２３１によって測定された外部環境の照度に対応する照度信号に基づいて、センシングデータＳＤを獲得する。照度センシング部２３０は、センシングデータＳＤを光源駆動部２５０に供給する。照度センシング部２３０の詳しい説明は、以下に図２及び図３を参照して説明する。
【００２７】
光源駆動部２５０は、輝度決定部２２０が供給する輝度データＬＤと照度センシング部２３０が供給するセンシングデータＳＤに基づいて光源モジュール２１０を駆動する。光源駆動部２５０の詳しい説明は、以下に図４を参照して説明する。
【００２８】
図２は、図１に示す照度センシング部２３０をさらに詳細に示したブロック図である。図３は、図２に示すルックアップテーブル２３９の一例を示す図面である。
【００２９】
図２及び図３を参照すると、照度センシング部２３０は、センサー部２３１、アナログ−デジタルコンバータ２３３、選択部２３５、及びマッピング（ｍａｐｐｉｎｇ）部２３７を含む。照度センシング部２３０はフィルタリング部２３４をさらに含んでもよい。
【００３０】
センサー部２３１は、外部環境の照度を測定して獲得した照度信号を、アナログ−デジタルコンバータ２３３に出力する。センサー部２３１は、表示装置の表示パネル１００に具備される１つ以上の照度センサーを含む。センサー部２３１は、温度補償センサーをさらに含んでもよい。本実施形態において、照度センサーは、表示装置の表示パネル１００に具備されるが、これは照度センサーの配置位置を限定するものではない。照度センサーは表示装置のうち外部環境の照度が測定できる位置であればどの位置でも配置可能である。
【００３１】
アナログ−デジタルコンバータ２３３は、照度信号をデジタル変換してデジタル形態の照度データを獲得する。照度センシング部２３０は、照度データからノイズ成分を除去するフィルタリング部２３４をさらに含んでもよい。
【００３２】
選択部２３５は、フィルタリング部２３４より出力された照度データの代表値を選択する。照度センシング部２３０よりフィルタリング部２３４が省略される場合、選択部２３５は、アナログ−デジタルコンバータ２３３より出力された照度データの代表値を選択する。照度データの代表値は、照度データのうちの１つであってもよく、照度データの平均値であってもよい。
【００３３】
マッピング部２３７は、照度データの代表値に対応するセンシングデータＳＤを光源駆動部２５０に供給する。マッピング部２３７は、照度データとこれらに対応するセンシングデータの情報が保存されたルックアップテーブル２３９を含んでもよい。ルックアップテーブル２３９には、図３に示すように、照度データに対応するセンシングデータがヒステリシス特性（ｈｙｓｔｅｒｅｓｉｓ  ｃｈａｒａｃｔｅｒｉｓｔｉｃ）を有して保存されてもよい。
【００３４】
図３を参照すると、ルックアップテーブル２３９のＸ軸は、照度データＩＤであり、Ｙ軸は照度データＩＤに対応するセンシングデータＳＤである。例えば、照度データＩＤは、１０ビット（ｂｉｔ）のデータであってもよく、また、センシングデータＳＤは８ビット（ｂｉｔ）のデータであってもよい。図３で、Ｉ０、Ｉ１、Ｉ２、Ｉ３、Ｉ４、Ｉ５、Ｉ６、Ｉ７、及びＩ８は、照度データＩＤが増加する場合の照度データであり、Ｄ０、Ｄ１、Ｄ２、Ｄ３、Ｄ４、Ｄ５、Ｄ６、Ｄ７、及びＤ８は、照度データＩＤが減少する場合の照度データである。
【００３５】
図３で、Ｉ０〜Ｉ８に沿って階段状に上昇する線ｈ１は、照度データＩＤが増加する場合のＩ０〜Ｉ８に対応するセンシングデータＳＤを表したもので、Ｄ０〜Ｄ８に沿って階段状に下降する線ｈ２は、照度データＩＤが減少する場合のＤ０〜Ｄ８に対応するセンシングデータＳＤを表したものである。図３に示すように、センシングデータＳＤの境界では、照度データＩＤが上昇（ｉｎｃｒｅａｓｅ）する場合と下降（ｄｅｃｒｅａｓｅ）する場合の照度データＩＤの一部がそれぞれオーバーラップするように設計されてもよい。これは、外部環境の照度が僅かに変化する場合に瞬間的にちらつくことを防ぐために、一定領域では、現在の状態（ｃｕｒｒｅｎｔ  ｓｔａｔｅ）を維持させるためである。
【００３６】
図４は、図１に示す光源駆動部２５０についての詳細なブロック図である。
【００３７】
図４を参照すると、光源駆動部２５０は、演算部２５２及びパルス幅生成部２５８を含む。
【００３８】
演算部２５２は、輝度決定部２２０が供給する輝度データＬＤと照度センシング部２３０が供給するセンシングデータＳＤを乗算して、駆動データＤＤを出力する。演算部２５２は、駆動データＤＤの最下位ビットを除去して、輝度データＬＤの振幅（ａｍｐｌｉｔｕｄｅ）をセンシングデータＳＤの振幅と実質的に同一にしてもよい。演算部２５２は、駆動データＤＤをパルス幅生成部２５８に供給する。
【００３９】
パルス幅生成部２５８は、演算部２５２より供給された駆動データＤＤを基にパルス幅を有する駆動信号ＧＳを生成する。パルス幅生成部２５８は、生成された駆動信号ＧＳを光源モジュール２１０に供給して光源モジュール２１０を駆動させる。
【００４０】
光源駆動部２５０は、演算部２５２とパルス幅生成部２５８との間に使用者調節部（ｕｓｅｒ  ａｄｊｕｓｔｉｎｇ  ｕｎｉｔ）２５４をさらに含んでもよい。
【００４１】
使用者調節部２５４は、外部の入力信号ＵＩに従って、駆動データＤＤを優先的に決める。例えば、使用者調節部２５４は、外部のキーボードと接続されて使用者の操作によって入力される入力信号ＵＩに従って、表示装置の輝度を調節するための駆動データＤＤを出力してもよい。
【００４２】
光源駆動部２５０は、使用者調節部２５４とパルス幅生成部２５８との間に、最小レベル保障部（ｍｉｎｉｍｕｍ  ｌｅｖｅｌ  ｍａｉｎｔｅｎａｎｃｅ）２５６をさらに含んでもよい。
【００４３】
最小レベル保障部２５６は、入力信号ＵＩが最小レベルの駆動データＤＤ以下である場合、最小レベルの駆動データＤＤを維持する。従って、最小レベル保障部２５６は、表示装置が画像を表示するために必要な最小輝度を保障することができる。
【００４４】
本発明の表示装置は、赤色、緑色、青色、及び白色の画素（ＰＲ、ＰＧ、ＰＢ、ＰＷ）からなる単位画素を有する表示パネル１００を含み、表示パネル１００に画像を表示するために外部より供給される赤色、緑色、及び青色の原始画像データを、赤色、緑色、青色、及び白色の第１画像データに変換して表示パネル１００に供給する。以下、このような技術をペンタイル（Ｐｅｎｔｉｌｅ（登録商標））技術と称する。
【００４５】
ペンタイル技術においては、白色の画素ＰＷがさらに含まれることにより、赤色、緑色、及び青色画素（ＰＲ、ＰＧ、ＰＢ）のみを使用する従来の表示装置に比べて約２００％の輝度を得ることができる。従って、表示装置にペンタイル技術が適用されて約１００％の輝度を得るように調整されれば、表示パネル１００に光を供給する光源の消費電力を従来の５０％に減らして使用することができるため、消費電力の面で有利である。
【００４６】
また、本願発明は、ペンタイル技術に加えて、外部環境の照度に従って表示装置の輝度を追加で調節することができるため、表示装置の消費電力をさらに減らすことができる。
【００４７】
図５は、本発明の一実施例による光源駆動方法を説明するフローチャートである。
【００４８】
図１〜図５を参照すると、データ変換部１２０は、赤色、緑色、青色の原始画像データを、少なくとも白色の画像データを含む第１画像データに変換する（ステップＳ１００）。輝度決定部２２０は、データ変換部１２０より供給される第１画像データより輝度データＬＤを獲得する（ステップＳ３００）。輝度データＬＤは、画像のフレーム（ｆｒａｍｅ）毎に出力されてもよい。輝度決定部２２０より出力された輝度データＬＤは、光源駆動部２５０に供給される。
【００４９】
表示パネル１００に隣接するセンサー部２３１によって測定された外部環境の照度に対応する照度信号は、照度センシング部２３０によってセンシングデータＳＤとして獲得される（ステップＳ５００）。照度センシング部２３０より出力されたセンシングデータＳＤは光源駆動部２５０に供給される。
【００５０】
ステップＳ５００において、センサー部２３１は、外部環境の照度を測定して照度信号を出力する（ステップＳ５１０）。センサー部２３１は、表示装置の表示パネル１００に具備される１つ以上の照度センサーを含む。センサー部２３１は、温度補償センサーをさらに含んでもよい。本実施形態において、照度センサーは、表示装置の表示パネル１００に具備されるが、これは照度センサーの配置位置を限定するものではない。照度センサーは、表示装置において外部環境の照度が測定できる位置であればどの位置に配置されてもよい。
【００５１】
照度信号は、アナログ−デジタルコンバータ２３３によってデジタル変換されてデジタル形態の照度データが出力される（ステップＳ５３０）。ステップＳ５３０はデジタル変換された照度データをフィルタリング部２３４によってフィルタリングする段階をさらに含んでもよい。
【００５２】
アナログ−デジタルコンバータ２３３より出力された照度データの代表値は、選択部２３５によって選択される（ステップＳ５５０）。照度データの代表値は、照度データのうちの１つであってもよく、照度データの平均値であってもよい。
【００５３】
照度データの代表値に対応するセンシングデータＳＤは、マッピング部２３７より出力されて光源駆動部２５０に供給される（ステップＳ５７０）。マッピング２３７は、照度データとこれらに対応するセンシングデータの情報が保存されたルックアップテーブル２３９を含んでもよい。ルックアップテーブル２３９には、図３に示したように、照度データ値に対応するセンシングデータがヒステリシス（ｈｙｓｔｅｒｅｓｉｓ）特性を有して保存されてもよい。ルックアップテーブル２３９は、外部環境の照度が僅かに変化する場合に瞬間的にちらつくことを防ぐために、センシングデータＳＤの境界で照度データＩＤが上昇（ｉｎｃｒｅａｓｅ）するときと下降（ｄｅｃｒｅａｓｅ）するときの照度データＩＤの一部がそれぞれオーバーラップするように設計されてもよい。
【００５４】
輝度決定部２２０が供給する輝度データＬＤと照度センシング部２３０が供給するセンシングデータＳＤに基づいて光源駆動部２５０は、表示パネルに光を供給する光源モジュール２１０を駆動させる（ステップＳ７００）。
【００５５】
ステップＳ７００で、輝度決定部２２０より供給される輝度データＬＤと照度センシング部２３０より供給されるセンシングデータＳＤは、演算部２５２によって乗算されて駆動データとして出力される（ステップＳ７１０）。駆動データの最下位ビットが除去されることによって、輝度データＬＤの振幅がセンシングデータＳＤの振幅と実質的に同一になるようにしてもよい。ステップＳ７１０は、外部の入力信号によって駆動データを優先的に決定する段階を含んでもよい。例えば、使用者調節部２５４と接続された外部のキーボードを介した使用者の入力に従って、表示装置の輝度が調節されてもよい。また、使用者調節部２５４に、最小レベルの駆動データ以下に対応する外部からの入力信号がある場合は、最小レベルの駆動データを維持させる段階をさらに含んでもよい。例えば、最小レベル保障部２５６によって、表示装置が画像を表示するために必要な最小輝度が保障されてもよい。
【００５６】
演算部２５２より供給された駆動データは、パルス幅生成部２５８によって、パルス幅を有する駆動信号として生成される（ステップＳ７３０）。パルス幅生成部２５８は、生成された駆動信号を光源モジュール２１０に供給して光源モジュール２１０を駆動する。
【００５７】
説明したように、本発明の表示装置は、従来の表示装置に比べて約２００％の輝度を得ることができるペンタイル（Ｐｅｎｔｉｌｅ）技術を用いつつ、さらに外部環境の照度に従って表示装置の輝度を追加で調節することができるため、消費電力の面において有利である。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５９】
以上、説明したように、本発明の実施形態によれば、赤色、緑色、青色、及び白色の画素（ＰＲ、ＰＧ、ＰＢ、ＰＷ）からなる単位画素を用いて表示装置の輝度を約２００％増加させ、さらに、外部環境の照度変化によって表示装置の輝度を追加で調節することができるため、表示装置の輝度が向上され、消費電力を減らすことができる。
【符号の説明】
【００６０】
１００表示パネル
１１０タイミング制御部
１２０データ変換部
１４０データ駆動部
１７０パネル駆動部
２００光源装置
２１０光源モジュール
２２０輝度決定部
２３０照度センシング部
２３１センサー部
２３３アナログ−デジタルコンバータ
２３４フィルタリング部
２３５選択部
２３７マッピング部
２３９ルックアップテーブル
２５０光源駆動部
２５２演算部
２５４使用者調節部
２５６最小レベル保障部
２５８パルス幅生成部
２７０光源モジュール駆動部
【図１】
2010170130.tif 000003
【図２】
2010170130.tif 000004
【図３】
2010170130.tif 000005
【図４】
2010170130.tif 000006
【図５】
2010170130.tif 000007